(57)【要約】      （修正有）【課題】地震による家屋倒壊や火災による濃煙から有効に脆弱な人体を保護し、安全を保障する、避難シェルターの提供。【解決手段】防火材質から成る外殻１０を主体とし、防火材質の材料が複数本の鉄骨を固定して覆い、シェルター装置の主体を形成し、シェルター装置は内部に防護空間を備え、防護空間の上方に避難者用の照明２を設け、シェルター装置内部の一側壁面上に、水筒９と、必要な電源を供給するための電源供給設備７を設置し、別の一側壁面上に酸素を供給するための酸素ボンベ４と、さらに下方に予備の酸素ボンベ５を設置すると共に、該避難装置内に避難者がいるかどうかを知らせるための警報器１を該外殻外部上方に設置し、また、該シェルター装置内部に設置された椅子６の下方に、食料品や救急医療品を収納することができる収納ケースを設け、該椅子の両側の辺縁部に近い位置にシートベルトを設ける。【選択図】図３
0003102347.tif 000002
【実用新案登録請求の範囲】
【請求項１】
避難シェルターであって、防火材質から成る外殻を主体とし、該防火材質の材料が複数本の鉄骨を固定して覆い、シェルター装置の主体を形成し、該シェルター装置は内部に防護空間を備え、該防護空間の上方に避難者を誘導するための照明灯を設け、該シェルター装置内部の一側壁面上に、水筒と、必要な電源を供給するための電源供給設備を設置し、別の一側壁面上に酸素を供給するための酸素ボンベと、さらに下方に予備の酸素ボンベを設置すると共に、該避難装置内に避難者がいるかどうかを知らせるための警報器を該外殻外部上方に設置し、また、該シェルター装置内部に設置された椅子の下方に、食料品や救急医療品を収納することができる収納ケースを設け、該椅子の両側の辺縁部に近い位置にシートベルトを設けたことを特徴とする避難シェルター。
【考案の詳細な説明】
【技術分野】
【０００１】
本考案は、避難シェルターに関し、特に、防火材質から成る外殻を主体とし、該防火材質の材料が複数本の鉄骨を固定して覆い、シェルター装置の主体を形成し、該シェルター装置は内部に防護空間を備え、該防護空間の上方に避難者を誘導するための照明灯を設け、該シェルター装置内部の一側壁面上に、水筒と、必要な電源を供給するための電源供給設備を設置し、別の一側壁面上に酸素を供給するための酸素ボンベと、さらに下方に予備の酸素ボンベを設置すると共に、該避難装置内に避難者がいるかどうかを知らせるための警報器を該外殻外部上方に設置し、また、該シェルター装置内部に設置された椅子の下方に、食料品や救急医療品を収納することができる収納ケースを設け、該椅子の両側の辺縁部に近い位置にシートベルトを設け、使用者が該椅子を使用する際の安全を確保し、この装置により、高層ビルで地震や火災が発生した場合、どこへ逃げるべきか判断できずに慌てて走り回る必要なくして、短時間で避難の目的を達し安全を保障する、高層ビルにおける避難に適した避難シェルターに関する。
【背景技術】
【０００２】
火災や地震等の災難が頻発し、多くの危険が身辺に潜在する現在、一瞬の間に多くの貴重な生命が奪われてしまうことが多々あり、中でも、火災が発生したとき、まず人体に害を与えるものが一酸化炭素であり、人体が一酸化炭素を吸い込むことで中毒となり、血液中に酸素を吸収することができなくなって酸欠を引き起こし、最終的に死亡に至ってしまう。限られた数分間の救命時間に、現在一般的な防護服や防護器具、及び高度が不足しがちなはしご車を利用するだけでは生命の安全を完全に保障することはできず、また、図１に示すような緩降機や、図２に示すようなロープ式避難器具では、使用上潜在的な危険があり、すべての人が使用できるわけではなく、また、災害が発生したとき、これらの救命装置を使用できる時間はほんの数分間に限られており、確実に安全を確保することはできない。
【考案の開示】
【考案が解決しようとする課題】
【０００３】
本考案は、地震による家屋倒壊や火災による濃煙から有効に脆弱な人体を保護し、安全を保障する、避難シェルターの提供を目的とするものである。
【課題を解決するための手段】
【０００４】
図３に示すように、本考案は、外殻１０とドア８、椅子６から成り、そのうち、前記外殻１０は防火材質により形成され、複数本の鉄骨１１を該防火材質の材料が固定して覆い、シェルター装置の主体を形成し、該外殻１０内部に、各種防護設備を設置することのできる防護空間を設け、該防護空間の上方に避難者を誘導するための照明２を設置し、且つ、該空間内の一側壁面上に避難者に給水するための水筒９を設置し、さらに、必要な電源を供給するための電源７を設け、別の一側壁面上に避難者に酸素を供給する酸素ボンベ４を設置し、さらに下方に予備の酸素ボンベ５を設置する。これは、水や電気がなくとも人は生命をしばらく維持することができるが、酸素がなければ生存は不可能であるため、予備を設置するものである。また、前記外殻１０外側上方に警報器１を設置し、災害が発生し完全な暗黒の中においても、該警報器１によりシェルター装置の位置と、内部に人がおり救援を求めていることを外部に知らせることができる。
【０００５】
図４に示すように、椅子６は、下方に収納ケース１２を備え、該収納ケース１２内部に食料品や救急衣料品、また、使用者の必要に応じ各種物品を収納することができ、さらに、該椅子６の両側辺縁部に近い箇所にシートベルト１３を設置し、使用者が該椅子６を使用する際、身体を保護することができる。
【考案の効果】
【０００６】
まず、従来の救命器具には以下の欠点がある。
１．  潜在的危険があり、完全且つ有効に生命を保障することができない。
２．  使用の際不便である。
３．  実用性が低い。（誰でも使用できるわけではない。）
４．  進歩性、実用性、安全性に欠ける。
【０００７】
従来の救命器具と本考案の避難シェルターを比較すると、本考案の避難シェルターには以下の効果がある。
１．  安全な空間を提供することができる。
２．  使用の際に便利である。
３．  進歩性がある。
４．  実用性がある。
【考案を実施するための最良の形態】
【０００８】
図５に本考案の避難シェルターの実施例を示す。使用者が危険な状況下において、独立且つ隔絶された空間に避難し身を守る必要がある場合に使用する。使用者が前記シェルター装置内に入り、前記ドア８を上方から本体前方に被せることにより、隔絶された空間を形成する。使用者は、内部空間内において、前記酸素ボンベ４を使用して酸素を確保し、また前記水筒９から飲料水を得るなど、前述の各種設備を使用し、生存のチャンスを向上することができる。
【０００９】
図６に示すように、火災の際に、独立且つ隔絶された空間に避難し、身を守る必要がある場合、本考案の避難シェルターを利用することができる。前述のシェルター装置内に入るだけで、防火材質である前記外殻１０により、高温と濃煙から生命を守ることができ、また、外殻１０上方に設置された前記警報器１が、暗黒の中でも救急隊員に救助を必要とする人がいることを知らせ、使用者の生存のチャンスを向上することができる。
【００１０】
図７に示すように、地震の際においても、独立且つ隔絶された空間に避難し、身を守る必要がある場合、本考案の避難シェルターを利用することができる。前述のシェルター装置内に入るだけで、前記主体の鉄骨耐震構造を利用し、地震により家屋が倒壊し逃げ場がない場合においても、押しつぶされることのない空間で救助を待つ間の鍵となる時間を延長することができ、閉じ込められた人の生命を守り、生存のチャンスを向上することができる。
【００１１】
以上、本考案の実施例を図面に基づいて詳述してきたが、具体的な構成はこの実施例に限られるものではなく、本考案の説明及び図示の内容を運用した同等の効果を得る構造を、直接的または間接的に他の関連技術領域に応用した場合も、本考案の要旨の範囲に含まれる。
【図面の簡単な説明】
【００１２】
【図１】従来の避難器具の使用時の状態を示す模式図である。
【図２】従来の別の避難器具の使用時の状態を示す模式図である。
【図３】本考案の避難シェルターの立体透視図である。
【図４】本考案の椅子の構造を示す立体斜視図である。
【図５】本考案の使用時の状態を示す立体透視図である。
【図６】本考案の火災時における使用の状態を示す立体図である。
【図７】本考案の地震による家屋倒壊時における使用の状態を示す立体図である。
【符号の説明】
【００１３】
１      警報器
２      照明
３      監視窓
４      酸素ボンベ
５      予備酸素ボンベ
６      椅子
７      電源
８      ドア
９      水筒
１０    外殻
１１    鉄骨
１２    収納ケース
１３    シートベルト    
【図１】
0003102347.tif 000003
【図２】
0003102347.tif 000004
【図３】
0003102347.tif 000005
【図４】
0003102347.tif 000006
【図５】
0003102347.tif 000007
【図６】
0003102347.tif 000008
【図７】
0003102347.tif 000009